(57)【要約】【課題】注入履歴データと、曝射タイミング又は放射線データとを、共通の時間データに基づいて利用する。【解決手段】注入システム１００は、薬液を注入する注入装置１１０と、放射線を検出して、注入装置１１０に第１放射線データを送信する放射線検出装置１９０とを備え、注入装置１１０は、薬液の注入履歴データを作成する履歴作成部１２４と、第１放射線データを注入履歴データと共通の時間データに関連付けた第２放射線データを作成するデータ作成部１２５とを有する。【選択図】図１
2018000307.tif 000002
【特許請求の範囲】
【請求項１】
薬液を注入する注入装置と、
放射線を検出して、前記注入装置に第１放射線データを送信する放射線検出装置とを備え、
前記注入装置は、前記薬液の注入履歴データを作成する履歴作成部と、前記第１放射線データを前記注入履歴データと共通の時間データに関連付けた第２放射線データを作成するデータ作成部とを有する、注入システム。
【請求項２】
前記注入履歴データ及び前記第２放射線データを取得するデータ取得部と、前記第２放射線データから曝射タイミングを判定する曝射判定部と、前記曝射タイミングを前記注入履歴データに合成して注入結果グラフを作成するグラフ作成部とを有する、データ処理装置をさらに備える、請求項１に記載の注入システム。
【請求項３】
前記注入履歴データ及び前記第２放射線データを取得するデータ取得部と、前記第２放射線データを前記注入履歴データに合成して注入結果グラフを作成するグラフ作成部とを有する、データ処理装置をさらに備える、請求項１に記載の注入システム。
【請求項４】
前記第１放射線データは、検出した放射線量を示す放射線量データと、放射線を検出したタイミングを示す検出タイミングデータとの少なくとも一方を含む、請求項１から３のいずれか１項に記載の注入システム。
【請求項５】
前記注入履歴データは、前記薬液の注入開始からの経過時間毎の注入圧力データを含む、請求項１から４のいずれか１項に記載の注入システム。
【請求項６】
被験者に注入した薬液の注入履歴データと、前記注入履歴データと共通の時間データに関連付けられた放射線データとを取得するデータ取得部と、
前記放射線データから曝射タイミングを判定する曝射判定部と、
前記曝射タイミングを前記注入履歴データに合成して注入結果グラフを作成するグラフ作成部とを備える、データ処理装置。
【請求項７】
被験者に注入した薬液の注入履歴データと、前記注入履歴データと共通の時間データに関連付けられた放射線データとを取得するデータ取得部と、
前記放射線データを前記注入履歴データに合成して注入結果グラフを作成するグラフ作成部とを備える、データ処理装置。
【請求項８】
薬液を注入する注入装置であって、
放射線検出装置から第１放射線データを受信するインターフェースと、
前記第１放射線データを時間データに関連付けた第２放射線データを作成するデータ作成部とを備え、
前記インターフェースは、前記第２放射線データを外部装置に送信する、注入装置。
【発明の詳細な説明】
【技術分野】
【０００１】
本発明は、放射線検出装置を備えた注入システムと、放射線データを処理するデータ処理装置及び注入装置に関する。
【背景技術】
【０００２】
撮像検査における曝射時間のタイミングデータと、薬液注入の注入履歴データを取得し、注入履歴データと曝射時間のタイミングデータとが一緒に表示される注入結果グラフを作成して、表示ユニットに表示させるデータ処理装置が知られている（特許文献１）。このデータ処理装置は、撮像装置が作成した曝射時間のタイミングデータを、撮像装置の記憶部又はＰＡＣＳ（Picture Archiving and Communication Systems）から取得する。
【０００３】
曝射時間のタイミングデータとしては、撮像開始時間のデータと撮像終了時間のデータがある。そして、造影剤の注入開始時間と撮像開始時間とが一致しないことがあるため、注入結果グラフは、共通の時間データに基づいて作成されることが好ましい。例えば、撮像装置が付与する時間データとして、ＮＴＰ（Network Time Protocol）サーバの時間データ、ＮＴＰサーバに基づいて時間が設定された他のタイムサーバの時間データ、これらのサーバに基づいて時間が設定された所定の機器の時間データ、及びこれらのサーバに基づいて時間が設定された撮像装置の時間データがあり、これらを利用できる。
【先行技術文献】
【特許文献】
【０００４】
【特許文献１】国際公開第２０１４／１６８２１６号
【発明の概要】
【発明が解決しようとする課題】
【０００５】
しかし、ＮＴＰサーバを導入している医療機関は少なく、そのために注入結果グラフの利用場面が限られていた。一方、注入装置及び撮像装置は、それぞれ時間データを作成している。しかし、時間データを同期しない場合には、注入装置と撮像装置との間における時間のズレが大きい。そのため、注入開始タイミングと曝射タイミングのデータを正確に関連付けて利用することはできなかった。
【課題を解決するための手段】
【０００６】
上記課題を解決するため、本発明の一例としての注入システムは、薬液を注入する注入装置と、放射線を検出して、前記注入装置に第１放射線データを送信する放射線検出装置とを備え、前記注入装置は、前記薬液の注入履歴データを作成する履歴作成部と、前記第１放射線データを前記注入履歴データと共通の時間データに関連付けた第２放射線データを作成するデータ作成部とを備えることを特徴とする。
【０００７】
また、本発明の他の例としてのデータ処理装置は、被験者に注入した薬液の注入履歴データと、前記注入履歴データと共通の時間データに関連付けられた放射線データとを取得するデータ取得部と、前記放射線データから曝射タイミングを判定する曝射判定部と、前記曝射タイミングを前記注入履歴データに合成して注入結果グラフを作成するグラフ作成部とを備えることを特徴とする。
【０００８】
また、本発明の他の例としてのデータ処理装置は、被験者に注入した薬液の注入履歴データと、前記注入履歴データと共通の時間データに関連付けられた放射線データとを取得するデータ取得部と、前記放射線データを前記注入履歴データに合成して注入結果グラフを作成するグラフ作成部とを備えることを特徴とする。
【０００９】
また、本発明の他の例としての注入装置は、薬液を注入する注入装置であって、放射線検出装置から第１放射線データを受信するインターフェースと、前記第１放射線データを時間データに関連付けた第２放射線データを作成するデータ作成部とを備え、前記インターフェースは、前記第２放射線データを外部装置に送信することを特徴とする。
【発明の効果】
【００１０】
これにより、注入装置は時間データに関連付けた放射線データを作成して、外部装置に送信できる。また、注入履歴データと、曝射タイミング又は放射線データとを、共通の時間データに基づいて利用することができる。
【００１１】
本発明のさらなる特徴は、添付図面を参照して例示的に示した以下の実施例の説明から明らかになる。
【図面の簡単な説明】
【００１２】
【図１】第１実施形態に係るデータ処理システムの概略全体図である。
【図２】第１実施形態に係るデータ処理システムの概略ブロック図である。
【図３】放射線検出装置が検出した放射線量を示すグラフである。
【図４】第１実施形態に係るデータ処理を説明するためのフローチャートである。
【図５】データ処理装置が作成する注入結果グラフである。
【図６】第２実施形態に係るデータ処理システムの概略全体図である。
【図７】第２実施形態に係るデータ処理システムの概略ブロック図である。
【図８】第２実施形態に係るデータ処理を説明するためのフローチャートである。
【発明を実施するための形態】
【００１３】
以下、本発明を実施するための例示的な実施形態を、図面を参照して詳細に説明する。ただし、以下の実施形態で説明する寸法、材料、形状及び構成要素の相対的な位置等は任意であり、本発明が適用される装置の構成又は様々な条件に応じて変更できる。また、特別な記載がない限り、本発明の範囲は、以下に具体的に記載された実施形態に限定されるものではない。
【００１４】
［第１実施形態］
図１に示すように、データ処理システム１０００は、注入システム１００と、被験者の透視画像を撮像する放射線撮像装置１５０とを備えている。この注入システム１００は、薬液を注入する注入装置１１０と、放射線を検出して、注入装置１１０に第１放射線データを送信する放射線検出装置１９０とを備えている。放射線撮像装置１５０としては、例えば、ＣＴ（Computed Tomography）装置、ＣＴアンギオ装置等の各種医療用撮像装置がある。また、データ処理システム１０００は、ＰＡＣＳ、ＲＩＳ（Radiology Information System）、及びＨＩＳ（Hospital Information System）等の外部記憶装置１８０と、画像生成装置、コンピューター及びワークステーション等のデータ処理装置１３０とを備えている。
【００１５】
放射線撮像装置１５０、注入装置１１０、及び外部記憶装置１８０は、それぞれＬＡＮ（Local Area Network）又は専用回線等を介して有線又は無線接続されており、各種データを互いに送受信することができる。このデータは、デジタル医用画像に関する標準規格であるＤＩＣＯＭ（Digital Imaging and Communications in Medicine）に準拠して作成することができる。注入装置１１０は、放射線検出装置１９０と有線又は無線接続されている。例えば、注入装置１１０は、Bluetooth（登録商標）の規格に従い放射線検出装置１９０と無線接続されている。また、注入装置１１０はＬＡＮケーブルを介してデータ処理装置１３０に接続されている。
【００１６】
［放射線撮像装置］
放射線撮像装置１５０としてＣＴ装置を例に挙げて説明する。放射線撮像装置１５０は、被験者の透視画像を撮像するために患者にＸ線を曝射する撮像部１５１と、撮像部１５１に接続された制御装置１６０と、制御装置１６０に接続されたディスプレイ１５９とを備えている。撮像部１５１は、被験者を載せる寝台１５３と、被験者にＸ線を照射するＸ線源（不図示）と、被験者を透過したＸ線を検出するＸ線検出器（不図示）とを有している。そして、撮像部１５１は、被験者にＸ線を曝射し、被験者を透過したＸ線に基づいて被験者の体内を逆投影することで、被験者の透視画像を撮像する。なお、制御装置１６０とディスプレイ１５９とは、一体的に構成することもできる。
【００１７】
ブロック図である図２に示すように、制御装置１６０は、撮像制御部１６１と、記憶部１６２と、インターフェース（I/F）１６３とを有している。撮像制御部１６１は、ＣＰＵ（Central Processing Unit）、ＦＰＧＡ（Field-Programmable Gate Array）、及びドライブ回路等を有している。
【００１８】
撮像制御部１６１は、例えば、透視画像に識別情報（画像ＩＤ）を付与すること、透視画像に曝射時間のタイミングデータを付与すること、透視画像データを外部（注入装置１１０、データ処理装置１３０又は外部記憶装置１８０）に送信すること、曝射時間のタイミングデータを外部に送信すること、曝射量データを外部に送信すること、実施した撮像の識別情報を外部に送信すること、及びパーフュージョン検査用の撮像動作のタイムシーケンスデータを外部に送信すること、ができる。そして、撮像制御部１６１は、透視画像データ及び曝射時間データ等を記憶部１６２に記憶する。
【００１９】
記憶部１６２は、ＣＰＵが動作するためのシステムワークメモリであるＲＡＭ（Random Access Memory）、制御プログラム又はシステムソフトウェア等が格納されるＲＯＭ（Read Only Memory）、及びハードディスクドライブ等を有している。
【００２０】
放射線撮像装置１５０は、インターフェース１６３を介して外部記憶装置１８０及びデータ処理装置１３０と接続されている。このインターフェースは、それぞれの機器毎に別個のインターフェースであってもよく、また同一のインターフェースであってもよい。さらに、注入動作と撮像動作とを連係させるため、放射線撮像装置１５０は、インターフェース１６３を介して注入装置１１０と接続することができる。なお、制御装置１６０は、データの入力装置として機能するユーザーインターフェース（不図示）を備えている。
【００２１】
放射線撮像装置１５０が作成する曝射の時間データには、例えば曝射開始の時間データ、曝射終了の時間データ、及び曝射の開始から終了までの経過時間の時間データが含まれる。この曝射の時間データは、ＮＴＰサーバの時間データ、ＮＴＰサーバに基づいて時間が設定された他のタイムサーバの時間データ、これらのサーバに基づいて時間が設定された所定の機器の時間データ、及びこれらのサーバに基づいて時間が設定された放射線撮像装置１５０の時間データを基準に作成できる。なお、一回の検査で複数回の撮像を行う場合には、それぞれの曝射の時間データが作成される。
【００２２】
［注入装置］
システム全体を示す図１に戻り、注入装置１１０について説明する。注入装置１１０は、薬液（例えば、造影剤及び生理食塩水）がそれぞれ充填された２つのシリンジ（不図示）が搭載される注入ヘッド１１１と、注入ヘッド１１１を制御する制御装置（コンソール）１２０とを備えている。このコンソール１２０は、操作部及び薬液の注入状況等が表示される表示部として機能するタッチパネル１２９を備えている。そして、コンソール１２０と注入ヘッド１１１は、メタルケーブル及び光ケーブル等を介して有線接続されている。なお、コンソール１２０と注入ヘッド１１１は、無線接続されてもよく、例えば２．４GHz〜５GHzの周波数帯を使用する無線方式で接続されてもよい。また、ハンドスイッチ等の遠隔操作装置（不図示）を、注入ヘッド１１１又はコンソール１２０に有線又は無線接続することもできる。
【００２３】
注入ヘッド１１１は、キャスタースタンド１１２に搭載されており、放射線撮像装置１５０の寝台１５３の近傍に移動して配置することができる。注入ヘッド１１１の電源は、注入ヘッド１１１又はコンソール１２０に設けることができる。また、注入ヘッド１１１から独立した電源を別途設けることもでき、当該電源をバッテリーに代えることもできる。なお、キャスタースタンド１１２に代えて天吊部材を設け、この天吊部材を介して天井から注入ヘッド１１１を天吊することもできる。
【００２４】
また、注入ヘッド１１１には、前進ボタン、加速ボタン、後退ボタン、チェックボタン、及びスタートボタン等の操作ボタンが設けられている。そして、オペレーターは、操作ボタンを操作して、注入ヘッド１１１を手動で操作できる。具体的には、オペレーターが前進ボタンを押している間は注入ヘッド１１１の押圧部が前進して、オペレーターが後退ボタンを押している間は押圧部が後退する。また、オペレーターがチェックボタンを押すと、注入ヘッド１１１は注入可能な状態で待機する。その後、オペレーターがスタートボタンを押すと、注入ヘッド１１１は押圧部を前進させて薬液の注入を開始する。また、操作ボタンは、コンソール１２０のタッチパネル１２９にも表示される。オペレーターは、タッチパネル１２９を操作して、注入ヘッド１１１を操作することもできる。
【００２５】
注入ヘッド１１１は、不図示の駆動機構を有する。例えば、駆動機構は、モーターのシャフトに接続された伝達機構と、伝達機構に接続されたネジ軸と、ネジ軸に取り付けられた台形ネジナットと、台形ネジナットに接続されたアクチュエーターとを含む。伝達機構は、シャフトに接続されたピニオンギアと、ネジ軸に接続されたスクリューギアとを含む。そして、伝達機構は、モーターからの回転をネジ軸に伝達する。これにより、モーターのシャフトの回転は、ピニオンギア及びスクリューギアを介してネジ軸に伝達される。そのため、ネジ軸が伝達された回転に従って回転して、台形ネジナットはネジ軸の回転に伴い前進方向又は後進方向に摺動する。この台形ネジナットの摺動に伴い、押圧部が前進又は後進する。
【００２６】
注入ヘッド１１１に搭載されるシリンジには、シリンジ内において摺動可能であるピストンが取り付けられている。このシリンジは、薬液が充填されているシリンジ及び薬液が充填されていない空シリンジのいずれであってもよい。そして、ピストンの後端が押圧部に当接した状態でモーターが正転すると、押圧部がピストンを前進方向に押すことになる。ピストンが前進すると、シリンジ内の薬液が押し出され、シリンジ先端に接続される延長チューブ等を介して被験者の体内に注入される。一方、モーターが逆転すると、押圧部がピストンを後退方向に引くことになる。なお、薬液が充填されているシリンジには、予め薬液が充填されているプレフィルドシリンジ、オペレーターが手動で空のシリンジに薬液を充填して得られたシリンジ、及びオペレーターが吸引器若しくは充填器で空のシリンジに薬液を充填して得られたシリンジが含まれる。また、空のシリンジを注入装置１１０に搭載した場合、オペレーターは、注入装置１１０、吸引器又は充填器により薬液をシリンジに充填することができる。
【００２７】
シリンジには、ＲＦＩＤ（Radio Frequency Identifier）又はバーコードといったデーターキャリアを設けることができる。このデーターキャリアには、充填された薬液の情報等が記録されている。そして、注入装置１１０は、注入ヘッド１１１を介してデーターキャリアから記録された情報を読み取り、薬液の注入圧力等を制御できる。例えば、コンソール１２０は、読み取った薬液の情報（ヨード量又はガドリニウム含有量）に基づいて、体重当たりの最適な注入量を計算してタッチパネル１２９に表示できる。
【００２８】
薬液を注入する場合、オペレーターは注入装置１１０の電源をオンにし、注入ヘッド１１１にシリンジを搭載して注入準備を完了させる。そして、オペレーターは、タッチパネル１２９又は注入ヘッド１１１の操作ボタンを操作して、注入プロトコルの作成に必要なデータをコンソール１２０に入力する。例えば、必要なデータは、体重、身長、体表面積、心拍数及び心拍出量等の被験者の身体的データ、及び薬液の種類のデータ等である。なお、オペレーターは、シリンジを搭載した後に、注入装置１１０の電源をオンしてもよい。また、注入プロトコル及び薬液のデータ等は、外部の記憶媒体からコンソール１２０に入力することもできる。
【００２９】
コンソール１２０は、注入速度、注入量、注入時間及び注入最大圧力（注入圧力リミット値）等の基本注入プロトコルと、薬液のデータを予め記憶している。そして、コンソール１２０は、入力されたデータと予め記憶されているデータに応じて、個別の被験者に適した個別注入プロトコルを決定する。また、コンソール１２０は、注入速度、注入量及び注入時間等の所定のデータを、タッチパネル１２９に表示する。オペレーターは、決定された注入プロトコルの内容を確認し、必要であれば内容を変更できる。なお、注入プロトコルは、第三者が変更できないように、パスワードによりロックされていてもよい。
【００３０】
また、コンソール１２０は、ポータブルディスプレイ又はタブレット型コンピューター等の外部デバイスに、注入プロトコルを表示してもよい。これらのデバイスは、注入ヘッド１１１又はコンソール１２０とBluetooth（登録商標）又はWi-Fi等の規格に従い無線接続され、注入ヘッド１１１のヘッドディスプレイとして利用できる。
【００３１】
オペレーターは、注入準備を完了して注入プロトコルを確認すると、注入ヘッド１１１又はタッチパネル１２９のチェックボタンを押す。これにより、注入ヘッド１１１は、注入可能な状態で待機する。その後、オペレーターは、注入ヘッド１１１若しくは遠隔操作装置のスタートボタン、又はタッチパネル１２９に表示されたスタートボタンを押して注入を開始する。その後、注入ヘッド１１１は、注入プロトコルに従って自動的に薬液を注入する。なお、注入ヘッド１１１がヘッドディスプレイを有する場合、オペレーターは、ヘッドディスプレイに表示されたスタートボタンを押して注入を開始することもできる。
【００３２】
ブロック図である図２に示すように、注入装置１１０は、コンソール１２０の筐体内に配置された注入制御部１２１及び記憶部１２２と、コンソール１２０の筐体外面に配置され、所定の画像を表示すると共に操作パネルとして機能するタッチパネル１２９とを有している。注入制御部１２１は、ＣＰＵ、ＦＰＧＡ、及びドライブ回路等を有している。また、記憶部１２２は、ＣＰＵが動作するためのシステムワークメモリであるＲＡＭ、制御プログラム又はシステムソフトウェア等が格納されるＲＯＭ、及びハードディスクドライブ等を有している。
【００３３】
注入制御部１２１は、記憶部１２２に記憶されたプログラム等に基づいて、注入装置１１０全体を制御すると共に、各種処理についても統括的に制御する。すなわち、注入制御部１２１は、記憶部１２２に記憶された制御プログラムに従って、種々の演算、制御及び判別等の処理動作を実行できる。なお、注入制御部１２１は、ＣＤ（Compact Disc）、又はインターネット上のサーバ等の外部記憶媒体に記憶されたプログラムに従って制御を行うこともできる。
【００３４】
また、注入制御部１２１は、薬液の注入履歴データを作成する履歴作成部１２４と、放射線検出装置１９０から受信した第１放射線データを注入履歴データと共通の時間データに関連付けた第２放射線データを作成するデータ作成部１２５とを有する。履歴作成部１２４が作成した注入履歴データは、インターフェース１２３が外部記憶装置１８０及びデータ処理装置１３０に送信する。この注入履歴データには、注入開始からの経過時間と注入圧力（推定値を含む）との関係を示す圧力グラフ、注入速度、注入量、注入時間（注入継続時間）、注入圧力、注入時間、薬液種類、造影剤のヨード量、薬液を注入した身体区分又は撮像部位、薬液注入を識別するための識別情報、被験者の識別情報、及び設定した注入プロトコル等のデータが含まれる。
【００３５】
例えば圧力グラフには、注入ヘッド１１１のロードセル又はモーター電流を用いて算出した注入圧力の推定値が、注入開始からの経過時間と関連付けてプロットされている。この圧力グラフは、数値データであっても画像データであってもよく、その形式は特に限定されない。また、薬液注入を識別するための識別情報には、検査のシリアルナンバー、注入作業ＩＤ及び注入日時が含まれる。また、被験者の識別情報には、氏名、被験者ＩＤ及び生年月日が含まれる。また、薬液を注入した身体区分には、例えば頭部、胸部及び腹部等の体の一部が含まれ、撮像部位には、身体区分内の、例えば心臓、肝臓及び血管等の撮像箇所が含まれる。
【００３６】
共通の時間データとしては、注入装置１１０において予め設定されている時間データが利用できる。例えば、データ作成部１２５は、注入開始時間のデータを共通の時間データとして利用できる。この場合、データ作成部１２５は、放射線を検出したタイミングを示す検出タイミングデータと注入開始時間からの経過時間とを関連付けて、第２放射線データを作成する。また、データ作成部１２５は、検出した放射線量を示す時間毎の放射線量データと、注入開始時間からの経過時間とを関連付けて、第２放射線データを作成してもよい。
【００３７】
注入装置１１０は、外部記憶装置１８０、データ処理装置１３０、及び放射線検出装置１９０と接続するためのインターフェース（I/F）１２３を備えている。このインターフェース１２３は、放射線検出装置１９０から第１放射線データを受信すると共に、データ作成部１２５が作成した第２放射線データを外部装置（外部記憶装置１８０及びデータ処理装置１３０）に送信する。また、インターフェースは、それぞれの機器毎に別個のインターフェースであってもよく、また同一のインターフェースであってもよい。なお、注入動作と撮像動作とを連係させるために、注入装置１１０は、インターフェース１２３を介して放射線撮像装置１５０と接続することができる。
【００３８】
[放射線検出装置]
放射線検出装置１９０は、注入装置１１０と有線又は無線接続されており、例えば、注入装置１１０とBluetooth（登録商標）の規格に従い無線接続されている。そして、放射線検出装置１９０は、放射線撮像装置１５０から放射される放射線（散乱線）を検出し、放射線データとして注入装置１１０に送信する。この放射線検出装置１９０としては、GM（ガイガー・ミュラー）計数管、シンチレータ又は半導体検出器等の検出器を用いた各種検出装置を使用できる。なお、放射線検出装置１９０は、所定の閾値等のデータを入力するためのユーザーインターフェース（不図示）を備えていてもよい。
【００３９】
また、放射線検出装置１９０は、注入装置１１０の注入制御部１２１から受信した検出開始命令に従って放射線の検出を開始するように構成されている。薬液の注入開始と同時に注入制御部１２１が検出開始命令を送信することにより、注入履歴データと放射線データとの時間を、例えば注入開始タイミングを基準に同期させることができる。これにより、注入制御部１２１のデータ作成部１２５は、注入開始タイミングを基準に放射線がいつ検出されたのか、又はいつの放射線量であるのかを示すデータを作成できる。
【００４０】
具体的に、放射線検出装置１９０が送信する放射線量データを図３にグラフとして示す。図３において、縦軸は放射線量（mGy/s）であり、横軸は検出開始からの経過時間（ms）である。この放射線量データは、以下の条件で計測して得られた。
【００４１】
まず、注入ヘッド１１１を天吊する天吊部材に放射線検出装置１９０のセンサーを取り付けた。このとき、センサーから放射線撮像装置１５０の撮像部１５１までの距離は60 cmであった。そして、注入装置１１０及び放射線撮像装置１５０が設置されたＣＴ室の外側にパーソナルコンピューターを配置した。その後、管電圧120KV、及び曝射時間2.45sの条件で、放射線撮像装置１５０がファントムを曝射した時の放射線（散乱光）を計測した。なお、放射線検出装置１９０が送信した放射線量データは、パーソナルコンピューターで受信した。また、ファントムとしては、純水10.9L、塩化ナトリウム21.8g及び硫酸銅6.0gからなるファントムを使用した。
【００４２】
図３に示すように、検出開始直後には放射線が検出されなかったが（0mGy/s）、計測開始から約1373.07ms経過した時に、約0.00445mGy/sの放射線を検出した。その後、検出開始から約1525.64ms経過した時に、約0.00719mGy/sの放射線を検出した（第１のピーク）。続いて、第２〜第７のピークを検出した後、検出開始から約3830.15ms経過した時に、約0.00097mGy/sの放射線を検出した。その後は、放射線が検出されなかった（0mGy/s）。
【００４３】
放射線が検出されてから放射線が検出されなくなるまでの時間は、約2457.08msであり、曝射時間（2450ms）と略一致した。従って、放射線検出装置１９０によって放射線（散乱線）を検出することにより、曝射開始タイミング、曝射終了タイミング及び曝射時間の長さをほぼ正確に判断できることが分かる。
【００４４】
放射線検出装置１９０は、第１放射線データとして、検出した放射線量を示す放射線量データ、又は所定の閾値以上の放射線を検出したタイミングを示す検出タイミングデータを、検出開始からの経過時間（検出時間）と関連付けて注入装置１１０に送信する。検出タイミングデータを送信する場合、図３の例では、放射線検出装置１９０は、約1373.07ms経過した時から約3830.15ms経過した時までの間に渡って、所定の時間毎（例えば、8ms毎）に放射線を検出したことを示すデータを注入装置１１０に送信する。
【００４５】
[データ処理装置]
第１実施形態のデータ処理装置１３０は、例えば、注入装置１１０のコンソール１２０と有線又は無線接続された画像生成装置である。このデータ処理装置１３０は、注入装置１１０から注入履歴データ及び第２放射線データを取得する。ブロック図である図２に示すように、データ処理装置１３０は、ディスプレイ１３９を有するパーソナルコンピューター（PC）１３８と有線又は無線接続されている。そして、データ処理装置１３０は、パーソナルコンピューター１３８を介して操作することができる。オペレーターの操作に従い、データ処理装置１３０は、取得した注入履歴データ及び第２放射線データ等の各種のデータをパーソナルコンピューター１３８に送信する。そして、パーソナルコンピューター１３８は、受信した各種のデータをディスプレイ１３９に表示させる。なお、パーソナルコンピューター１３８は、データの入力装置として機能するユーザーインターフェース（不図示）を備えている。
【００４６】
また、データ処理装置１３０は、データ処理制御部１３１と、記憶部１３２と、インターフェース（I/F）１３３とを有している。データ処理制御部１３１は、ＣＰＵ、ＦＰＧＡ、及びドライブ回路等を有しており、注入装置１１０から受信したデータを処理する。また、記憶部１３２は、ＣＰＵが動作するためのシステムワークメモリであるＲＡＭ、制御プログラム又はシステムソフトウェア等が格納されるＲＯＭ、及びハードディスクドライブ等を有している。また、データ処理装置１３０は、インターフェース１３３を介して注入装置１１０に接続されている。
【００４７】
データ処理制御部１３１は、データ取得部１３４と、曝射判定部１３５と、グラフ作成部１３６とを有している。データ取得部１３４は、注入装置１１０から注入履歴データ及び第２放射線データを取得する。曝射判定部１３５は、第２放射線データから曝射タイミングを判定する。そして、グラフ作成部１３６は、曝射タイミングを注入履歴データに合成して注入結果グラフを作成する。また、グラフ作成部１３６は、作成した注入結果グラフを記憶部１３２に記憶する。
【００４８】
データ処理装置１３０は、注入装置１１０のコンソール１２０によって操作することもできる。なお、データ処理装置１３０は、パーソナルコンピューター１３８の内部に配置されていてもよい。また、コンピュータープログラムにより１つのデータ処理装置１３０として機能させるパーソナルコンピューター１３８も、第１実施形態のデータ処理装置１３０に含まれる。この場合、コンピュータープログラムは、例えばパーソナルコンピューター１３８の記憶部に記憶されている。
【００４９】
[データ処理]
図４のフローチャートを参照して、データ処理装置１３０が行うデータ処理について説明する。まず、オペレーターは、注入準備が完了すると、注入ヘッド１１１のスタートボタンを押して注入を開始する。オペレーターの操作に応じて、注入制御部１２１は、注入プロトコルに従って注入ヘッド１１１に薬液を注入させる。
【００５０】
注入制御部１２１は、注入を開始すると同時に、放射線検出装置１９０に放射線の検出開始命令を送信する（Ｓ１０１）。検出開始命令が受信された場合（Ｓ１０２でＹＥＳ）、放射線検出装置１９０は、放射線撮像装置１５０から放射される放射線の検出を開始する（Ｓ１０３）。検出と同時に、放射線検出装置１９０は、検出した放射線を第１放射線データとして注入装置１１０に送信する（Ｓ１０４）。注入制御部１２１は、受信した第１放射線データを記憶部１２２に記憶する。検出開始命令が受信されない場合（Ｓ１０２でＮＯ）、放射線検出装置１９０は、検出開始命令を受信するまで待機する。
【００５１】
放射線撮像装置１５０の撮像制御部１６１は、予め設定された所定の撮像プランに従って、被験者の撮像部位を撮像部１５１に撮像させる。すなわち、撮像制御部１６１は、注入開始から所定時間が経過して、造影剤が撮像部位に到達したタイミングで撮像部１５１に撮像させる。そして、撮像制御部１６１は、撮像部位の透視画像データを得ると共に、透視画像データを記憶部１６２に記憶する。また、撮像制御部１６１は、透視画像のデータを外部記憶装置１８０に記憶してもよい。なお、撮像制御部１６１は、曝射開始タイミングの時間データと曝射終了タイミングの時間データとを記憶部１６２又は外部記憶装置１８０に記憶することもできる。
【００５２】
放射線検出装置１９０は、第１放射線データを注入装置１１０に送信し続け、検出開始命令の受信から所定時間（例えば、60 s）を経過した後に検出を終了する。これは、検出開始（注入開始）から所定時間が経過して造影剤が撮像部位に到達すると撮像が行われ、その後は撮像が行われないためである。そのため、所定時間は、造影剤が撮像部位に到達するのに十分な時間が予め設定されている。なお、放射線検出装置１９０は、第１放射線データを記憶すると共に、検出開始命令の受信から所定時間が経過した時に第１放射線データを注入装置１１０へ送信してもよい。
【００５３】
注入装置１１０の履歴作成部１２４は、薬液注入中、薬液注入後、もしくはその両方において、薬液の注入履歴データを作成する。例えば、注入履歴データは、注入開始時間、注入終了時間、及び注入開始からの経過時間等の時間データと、注入開始からの経過時間毎の注入圧力を示す注入圧力データ（圧力グラフ）、注入開始からの経過時間毎の注入量を示す注入量データ、及び注入開始からの経過時間毎の注入速度を示す注入速度データを含む。そして、履歴作成部１２４は、作成した注入履歴データを注入装置１１０の記憶部１２２に記憶する。
【００５４】
注入装置１１０のデータ作成部１２５は、放射線検出装置１９０から受信した第１放射線データと、履歴作成部１２４が作成した注入履歴データを記憶部１２２から取得する。そして、データ作成部１２５は、第１放射線データを、注入履歴データと共通の時間データに関連付けた第２放射線データを作成する（Ｓ１０５）。例えば、データ作成部１２５は、注入履歴データのうち注入開始からの経過時間の時間データに第１放射線データを関連付けて、第２放射線データを作成する。これにより、注入開始からの経過時間と放射線の検出結果との関係を示す第２放射線データが作成される。
【００５５】
撮像が終了すると、オペレーターは、注入結果グラフを作成するためにデータ処理装置１３０に接続されたパーソナルコンピューター１３８を操作する。そして、オペレーターの操作に応じて、データ処理装置１３０のデータ取得部１３４は、被験者に注入した薬液の注入履歴データと、当該注入履歴データと共通の時間データに関連付けられた第２放射線データとを注入装置１１０から取得する（Ｓ１０６）。なお、注入履歴データとして何を取得するのかは任意であり、例えば、データ取得部１３４は、注入圧力データ及び時間データの他に、被験者ＩＤ、被験者氏名、被験者性別、被験者年齢、検査日時、薬液名、撮像部位、注入速度、注入量、及び最大注入圧力等の各種データを取得してもよい。
【００５６】
データ処理装置１３０の曝射判定部１３５は、第２放射線データから曝射タイミングを判定する（Ｓ１０７）。具体的に、第２放射線データが経過時間と関連付けられた放射線量データを含む場合、曝射判定部１３５は、所定の閾値以上の放射線を検出しているタイミングが曝射タイミングであると判定する。例えば、注入開始からの経過時間1300msから3800msまでの間に渡って放射線量が所定の閾値を超えている場合、曝射判定部１３５は、その間を曝射タイミングであると判定する。すなわち、曝射判定部１３５は、注入開始後1300ms経過時が曝射開始タイミングであり、注入開始後3800ms経過時が曝射終了タイミングであり、曝射タイミングの長さは2500msであると判定する。
【００５７】
また、第２放射線データが経過時間と関連付けられた検出タイミングデータを含む場合、曝射判定部１３５は、放射線が検出されたタイミングが曝射タイミングであると判定する。例えば、注入開始からの経過時間1300msから3800msまでの間に渡って常に放射線が検出されている場合、曝射判定部１３５は、その間を曝射タイミングであると判定する。すなわち、曝射判定部１３５は、注注入開始後1300ms経過時が曝射開始タイミングであり、注入開始後3800ms経過時が曝射終了タイミングであり、曝射タイミングの長さは2500msであると判定する。
【００５８】
データ処理装置１３０のグラフ作成部１３６は、判定して得られた曝射タイミングを注入履歴データに合成して注入結果グラフを作成する（Ｓ１０８）。例えば、曝射判定部１３５は、注入履歴データのうち注入圧力データ（圧力グラフ）に曝射タイミングを合成して注入結果グラフを作成する。一例として、グラフ作成部１３６は、図５に示すような圧力グラフ１７０を含む注入結果グラフを作成する。この圧力グラフ１７０の縦軸は注入圧力（kg/cm2）を示し、横軸が薬液の注入開始タイミングを基準（ゼロ）とする経過時間（s）を示している。
【００５９】
図５では、一回の撮像を行った例を示しており、注入開始から約４０秒経過時に１回目の撮像を行っている。また、圧力グラフ１７０に重なるように、曝射タイミングとして曝射開始タイミングが、縦軸と水平に延在する縦棒１７２で示されている。縦棒１７２の上方には、インジケータ１７３が示されている。なお、インジケータ１７３の形状は、逆三角形、円形、楕円形、上向き三角形、矩形、多角形又は星形であってもよい。また、曝射開始タイミングは、図形ではなく時間を示すテキスト（例えば「０：３０」のような表示）であってもよい。さらに、曝射開始タイミングは、注入結果グラフ内の配色とは異なる所定の色で曝射時間を示す領域を塗り潰すことによって表示してもよい。
【００６０】
注入結果グラフを作成すると、グラフ作成部１３６は、注入結果グラフを記憶部１３２に記憶し、データ処理が終了する。また、データ処理制御部１３１は、パーソナルコンピューター１３８のディスプレイ１３９に注入結果グラフを表示する。さらに、パーソナルコンピューター１３８が外部記憶装置１８０に接続されている場合、オペレーターは、必要に応じて注入結果グラフを外部記憶装置１８０に記憶することもできる。また、データ処理装置１３０は、外部記憶装置１８０から透視画像を読み込んで、透視画像と注入結果グラフとを関連付けた上で、両データを外部記憶装置１８０に記憶してもよい。なお、グラフ作成部１３６は、画像データ形式、テキストデータ形式、ＣＳＶ（Comma Separated Value）形式、又はＤＩＣＯＭデータ形式等の各種データ形式を用いて注入結果グラフを作成することができる。
【００６１】
注入結果グラフによって、オペレーターは、注入開始を基準とする撮像開始タイミングを正確に把握できる。そのため、オペレーターは、透視画像を評価することによって、注入開始から撮像部位に造影剤が到達するまでの時間を把握することができる。特に、造影剤の到達時間は、被験者によって大きく異なるため、被験者毎の到達時間を把握することにより、優れた状態の画像を撮像することができる。さらに、注入履歴データと曝射タイミングとが１つの注入結果グラフに表示されるので、オペレーターは、被験者に対する実際の注入結果及び曝射タイミングと、透視画像との相関関係を確認することができる。従って、所望の透視画像が得られなかった場合であっても、オペレーターは、その原因（例えば、造影剤の到達時間が早いこと）を判断することができる。
【００６２】
［プログラム］
第１実施形態のデータ処理装置１３０には、データ処理用のプログラムが実装されている。このプログラムに対応してデータ処理制御部１３１（コンピューター）が各種処理を実行することにより、データ処理制御部１３１では、データ取得部１３４、曝射判定部１３５、及びグラフ作成部１３６が各種機能として論理的に実現される。このプログラムは、コンピューターを、被験者に注入した薬液の注入履歴データと、注入履歴データと共通の時間データに関連付けられた放射線データとを取得するデータ取得部と、放射線データから曝射タイミングを判定する曝射判定部と、曝射タイミングを注入履歴データに合成して注入結果グラフを作成するグラフ作成部として機能させる。このプログラムは、コンピューター読み取り可能な内部の記憶部又は外部の記録媒体に記録できる。
【００６３】
以上説明した第１実施形態によれば、注入装置１１０は、時間データに関連付けた放射線データを作成して外部装置に送信できる。また、注入装置１１０及びデータ処理装置１３０は、注入履歴データと曝射タイミングとを、共通の時間データに基づいて利用できる。そのため、放射線撮像装置１５０又は外部記憶装置１８０から時間データを取得しなくとも、注入装置１１０は、放射線データを注入履歴データと共通の時間データに関連付けた第２放射線データを作成できる。これにより、注入装置１１０の時間データと同期された曝射タイミングを注入履歴データに合成して、注入結果グラフを作成できる。この注入結果グラフによれば、注入開始から撮像開始までの時間を視覚的に理解できる。
【００６４】
また、注入開始後に所定の遅延時間をおいて撮像する場合には、先に行った撮像時の注入結果グラフ及び透視画像を参照して、撮像開始タイミングを設定できる。これにより、被験者の個体差に合わせて撮像開始タイミングを適正化できる。さらに、適正なタイミングで撮像を開始することにより、必要な造影剤量を低減することができる。これにより、副作用のリスク及びコストを低減することができる。また、いわゆるリアルプレップを行う必要がなくなるため、被ばく量を低減することもできる。
【００６５】
なお、図５の注入結果グラフにおいては、一回撮像しているが、一回の検査で複数回（例えば、２回）撮像する場合においても、同様に注入結果グラフを作成できる。また、データ処理装置１３０及び／又は放射線検出装置１９０は、注入装置１１０に内蔵することができ、注入ヘッド１１１に取り付けることもできる。
【００６６】
また、圧力グラフ１７０は、データ処理装置１３０のグラフ作成部１３６が作成することもできる。この場合、データ取得部１３４は、注入装置１１０から注入履歴データとして注入開始からの経過時間と関連付けられた注入圧力データを取得する。そして、グラフ作成部１３６は、取得した注入圧力データに基づいて、図５に示すような圧力グラフ１７０を作成する。その後、グラフ作成部１３６は、作成した圧力グラフ１７０に、判定して得られた曝射タイミングを合成して注入結果グラフを作成する。
【００６７】
また、データ処理装置１３０は、予め設定された所定のタイミングでデータ処理を行ってもよい。例えば、データ処理装置１３０は、注入装置１１０から注入開始信号を受信し、注入開始から所定時間を経過したタイミングで自動的にデータ処理を開始してもよい。また、注入履歴データ又は第２放射線データが外部記憶装置１８０に記憶されている場合、データ処理装置１３０のデータ取得部１３４は、外部記憶装置１８０からデータを取得してもよい。
【００６８】
［第２実施形態］
続いて、第２実施形態に係るデータ処理システム２０００を示す図６及びそのブロック図である図７を参照して第２実施形態について説明する。なお、第２実施形態の説明においては、第１実施形態との相違点について説明し、第１実施形態で説明した構成要素については説明を省略する。特に説明した場合を除き、同じ参照符号を付した構成要素は略同一の動作及び機能を奏し、その作用効果も略同一である。
【００６９】
データ処理システム２０００は、注入システム２００と、被験者の透視画像を撮像する放射線撮像装置１５０とを備えている。そして、注入システム２００は、薬液を注入する注入装置１１０と、放射線を検出して、注入装置１１０に第１放射線データを送信する放射線検出装置２９０とを備えている。第２実施形態の放射線検出装置２９０は、放射線撮像装置１５０の寝台１５３に取り付けられている。また、放射線撮像装置１５０、注入装置１１０、外部記憶装置１８０、及びデータ処理装置２３０は、それぞれＬＡＮ又は専用回線等を介して有線又は無線接続されており、各種データを互いに送受信できる。
【００７０】
[放射線検出装置]
放射線検出装置２９０は、注入装置１１０とBluetooth（登録商標）の規格に従い無線接続されており、放射線撮像装置１５０から放射される放射線を検出し、放射線データとして注入装置１１０に送信する。また、放射線検出装置２９０は、注入装置１１０とペアリングが成立すると放射線の検出を開始するように構成されている。第２実施形態の放射線検出装置２９０は、寝台１５３の長手方向に延在するセンサーを有しており、当該センサーは寝台１５３上に設置されている。これにより、被験者の近傍で放射線を検出できるので、被験者の被ばく量も検出することができる。
【００７１】
［データ処理装置］
第２実施形態のデータ処理装置２３０は、例えば、放射線撮像装置１５０から透視画像の画像データを受信するワークステーション（コンピューター）である。このデータ処理装置２３０は、放射線撮像装置１５０の制御装置１６０、注入装置１１０のコンソール１２０、及び外部記憶装置１８０と有線又は無線接続されている。また、データ処理装置２３０は、注入装置１１０から注入履歴データ及び第２放射線データを取得する。
【００７２】
図７に示すように、データ処理装置２３０は、データ処理制御部２３１と、記憶部２３２とを有している。このデータ処理制御部２３１は、注入装置１１０から注入履歴データ及び第２放射線データを取得するデータ取得部２３４と、第２放射線データを注入履歴データに合成して注入結果グラフを作成するグラフ作成部２３６とを有している。グラフ作成部２３６は、作成した注入結果グラフを記憶部２３２に記憶する。
【００７３】
また、データ処理装置２３０は、放射線撮像装置１５０、注入装置１１０及び外部記憶装置１８０と接続するためのインターフェース２３３を有している。このインターフェースは、それぞれの機器毎に別個のインターフェースであってもよく、また同一のインターフェースであってもよい。そして、データ処理装置２３０は、データ処理制御部２３１に制御されるディスプレイ２３９を有している。このディスプレイ２３９は、放射線撮像装置１５０から取得した被験者の透視画像を表示できる。また、ディスプレイ２３９は、グラフ作成部２３６が作成した注入結果グラフ、及びデータ取得部２３４が取得した注入履歴データを表示できる。なお、データ処理装置２３０は、データの入力装置として機能するユーザーインターフェース（不図示）を備えている。
【００７４】
[データ処理]
図８のフローチャートを参照して、第２実施形態のデータ処理について説明する。まず、オペレーターは、注入準備が完了すると、注入ヘッド１１１のスタートボタンを押して注入を開始する。オペレーターの操作に応じて、注入制御部１２１は注入を開始するが、第２実施形態の放射線検出装置２９０は、注入装置１１０とペアリングが成立すると放射線の検出を開始するように構成されている。すなわち、放射線検出装置２９０の電源が投入されると、放射線検出装置２９０は、注入装置１１０にペアリング要求を発行する（Ｓ２０１）。そして、注入装置１１０が放射線検出装置２９０のペアリング要求に応答して、ペアリングが成立すると（Ｓ２０２でＹＥＳ）、放射線検出装置２９０は放射線の検出を開始する（Ｓ２０３）。
【００７５】
放射線検出装置２９０は、放射線を検出すると同時に、検出した放射線を第１放射線データとして注入装置１１０に送信する（Ｓ２０４）。そして、注入装置１１０のデータ作成部１２５は、受信した第１放射線データを時間データに関連付けた第２放射線データを作成して（Ｓ２０５）、記憶部１２２に記憶する。また、ペアリングが成立しない場合（Ｓ２０２でＮＯ）、放射線検出装置２９０は、ペアリングが成立するまで待機する。また、放射線検出装置２９０は、ペアリングが成立したタイミングに代えて、放射線検出装置２９０の電源が投入されたタイミングで放射線の検出を開始してもよい。
【００７６】
放射線撮像装置１５０の撮像制御部１６１は、予め設定された所定の撮影プランに従って、被験者の撮像部位を撮像部１５１に撮像させる。放射線検出装置２９０は、第１放射線データを注入装置１１０に送信し続け、検出開始から所定時間を経過した後に検出を終了する。
【００７７】
注入装置１１０の履歴作成部１２４は、薬液注入中、薬液注入後、もしくはその両方において、薬液の注入履歴データを作成する。このとき、履歴作成部１２４は、第２放射線データの時間データと共通の時間データに基づいて注入履歴データを作成する。そして、履歴作成部１２４は、作成した注入履歴データを注入装置１１０の記憶部１２２に記憶する。
【００７８】
撮像が終了すると、オペレーターは、注入結果グラフを作成するためにデータ処理装置２３０を操作する。そして、オペレーターの操作に応じて、データ処理装置２３０のデータ取得部２３４は、被験者に注入した薬液の注入履歴データと、当該注入履歴データと共通の時間データに関連付けられた第２放射線データとを注入装置１１０から取得する（Ｓ２０６）。
【００７９】
データ処理装置２３０のグラフ作成部２３６は、第２放射線データを注入履歴データに合成して注入結果グラフを作成する（Ｓ２０７）。具体的に、第２放射線データが経過時間と関連付けられた放射線量データを含む場合、グラフ作成部２３６は、当該放射線量データを注入履歴データに合成する。例えば、グラフ作成部２３６は、注入開始からの経過時間2300msから3800msまでの間に渡る放射線量と注入開始からの経過時間とを関連付けて示すグラフを、注入履歴データのうち注入圧力データ（圧力グラフ）に合成する。
【００８０】
また、第２放射線データが経過時間と関連付けられた検出タイミングデータを含む場合、グラフ作成部２３６は、放射線が検出された検出タイミングを注入履歴データに合成する。例えば、注入開始からの経過時間2300msから3800msまでの間に渡って常に放射線が検出されている場合、グラフ作成部２３６は、その間の検出タイミングを注入履歴データに合成する。なお、検出タイミングは、圧力グラフの縦軸と水平に延在する縦棒、又は検出タイミングを示す領域を所定の色で塗り潰すことによって表示できる。
【００８１】
これらの場合、注入結果グラフには曝射タイミングが含まれていない。しかし、オペレーターは、注入開始後2300ms経過時が曝射開始タイミングであり、注入開始後3800ms経過時が曝射終了タイミングであり、曝射タイミングの長さは2500msであることを、放射線量の変化又は検出タイミングから視覚的に理解することができる。
【００８２】
注入結果グラフを作成すると、グラフ作成部２３６は、記憶部２３２に注入結果グラフを記憶し、データ処理が終了する。また、データ処理装置２３０のデータ処理制御部２３１は、ディスプレイ２３９に注入結果グラフを表示する。さらに、オペレーターは、表示された注入結果グラフを必要に応じて外部記憶装置１８０に記憶することもできる。
【００８３】
［プログラム］
第２実施形態のデータ処理装置２３０には、データ処理用のプログラムが実装されている。このプログラムに対応してデータ処理制御部２３１（コンピューター）が各種処理を実行することにより、データ処理制御部２３１では、データ取得部２３４、及びグラフ作成部２３６が各種機能として論理的に実現される。このプログラムは、コンピューターを、被験者に注入した薬液の注入履歴データと、注入履歴データと共通の時間データに関連付けられた放射線データとを取得するデータ取得部、放射線データを注入履歴データに合成して注入結果グラフを作成するグラフ作成部として機能させる。このプログラムは、コンピューター読み取り可能な内部の記憶部又は外部の記録媒体に記録できる。
【００８４】
第２実施形態によれば、注入装置１１０及びデータ処理装置２３０は、注入履歴データと放射線データとを、共通の時間データに基づいて利用できる。そのため、放射線撮像装置１５０又は外部記憶装置１８０から時間データを取得しなくとも、注入装置１１０は、放射線データを注入履歴データと共通の時間データに関連付けた第２放射線データを作成できる。これにより、注入装置１１０の時間データと同期された放射線データを注入履歴データに合成して、注入結果グラフを作成できる。この注入結果グラフによれば、注入開始から撮像開始までの時間を視覚的に理解できる。また、第２実施形態の放射線検出装置２９０によれば、被験者の近傍で放射線を検出できるので、被験者の被ばく量を検出することもできる。
【００８５】
以上、各実施形態を参照して本発明について説明したが、本発明は上記実施形態に限定されるものではない。本発明に反しない範囲で変更された発明、及び本発明と均等な発明も本発明に含まれる。また、各実施形態及び各変形形態は、本発明に反しない範囲で適宜組み合わせることができる。
【００８６】
［変形形態］
注入装置１１０は、注入ヘッド１１１又は注入ヘッド１１１の近傍に設けられた、サブディスプレイを備えていてもよい。さらに、注入装置１１０は、放射線検出装置１９０，２９０から受信した放射線量を、検査中及び／又は検査後にサブディスプレイに表示してもよい。これにより、オペレーター又は被験者は、検査中及び／又は検査後の放射線量を確認することができる。この場合、放射線量は、数値をテキスト形式で表示してもよく、又はグラフで表示してもよい。
【００８７】
なお、放射線検出装置１９０と注入ヘッド１１１とは、一体的に構成することができる。また、注入装置１１０とデータ処理装置１３０とは、一体的に構成することができる。さらに、パーソナルコンピューター１３８とデータ処理装置１３０とは、一体的に構成することができる。さらに、放射線検出装置１９０は、電源を入れたタイミングで放射線の検出を開始し、且つ電源を切ったタイミングで放射線の検出を終了するように構成してもよい。この場合、放射線検出装置１９０は、検出開始命令を受信したタイミング以降に検出した放射線を第１放射線データとして注入装置１１０に送信できる。
【００８８】
上記の実施形態の一部又は全部は、以下の付記のようにも記載されうるが、以下には限られない。
【００８９】
（付記１）
透視画像を撮像する放射線撮像装置から放射される放射線を検出し、
検出した放射線を第１放射線データとして、薬液を注入する注入装置に送信し、
前記薬液の注入履歴データを作成し、
前記第１放射線データを前記注入履歴データと共通の時間データに関連付けた第２放射線データを作成し、
前記第２放射線データから曝射タイミングを判定し、
前記曝射タイミングを前記注入履歴データに合成して注入結果グラフを作成する、データ処理方法。
【００９０】
（付記２）
透視画像を撮像する放射線撮像装置から放射される放射線を検出し、
検出した放射線を第１放射線データとして、薬液を注入する注入装置に送信し、
前記薬液の注入履歴データを作成し、
前記第１放射線データを前記注入履歴データと共通の時間データに関連付けた第２放射線データを作成し、
前記第２放射線データを前記注入履歴データに合成して注入結果グラフを作成する、データ処理方法。
【００９１】
（付記３）
コンピューターを、
被験者に注入した薬液の注入履歴データと、前記注入履歴データと共通の時間データに関連付けられた放射線データとを取得するデータ取得部と、
前記放射線データを前記注入履歴データに合成して注入結果グラフを作成するグラフ作成部として機能させる、データ処理プログラム。
【００９２】
（付記４）
コンピューターを、
被験者に注入した薬液の注入履歴データと、前記注入履歴データと共通の時間データに関連付けられた放射線データとを取得するデータ取得部と、
前記放射線データを前記注入履歴データに合成して注入結果グラフを作成するグラフ作成部として機能させる、データ処理プログラム。
【符号の説明】
【００９３】
１００：注入システム、１１０：注入装置、１２３：インターフェース、１２４：履歴作成部、１２５：データ作成部、１３０：データ処理装置、１３４：データ取得部、１３５：曝射判定部、１３６：グラフ作成部、１９０：放射線検出装置、２００：注入システム、２３４：データ取得部、２３６：グラフ作成部
【図１】
2018000307.tif 000003
【図２】
2018000307.tif 000004
【図３】
2018000307.tif 000005
【図４】
2018000307.tif 000006
【図５】
2018000307.tif 000007
【図６】
2018000307.tif 000008
【図７】
2018000307.tif 000009
【図８】
2018000307.tif 000010